(57)【要約】【課題】  所謂”２４時間換気”に対応できる充分な換気効率を確保し得る一方、住宅に対する穴開け等の負担を軽減でき、且つ、居室内の美観を保持し得るカーテンボックスを提供する。【解決手段】  カーテンボックスＡ１では、下方に開口１を有し、カーテンレール２を収納し得る略箱型形状のカーテンボックスにおいて、前記カーテンレール２の両側に仕切板３（ここでは、左仕切板３ａ、右仕切板３ｂ）で隔てられた換気用区画４（ここでは、左換気用区画４ａ、右換気用区画４ｂ）を形成し、この換気用区画４の内面５である、換気用区画４の〔天井側〕底面５ａに換気口６（ここでは、左換気口６ａ、右換気口６ｂ）を有するので、住宅に対する穴開け等の負担を軽減でき、且つ、居室１２内の美観を十全に保持し得ることとなる。【選択図】図１
2006034367.tif 000002
【特許請求の範囲】
【請求項１】
下方に開口を有し、カーテンレールを収納し得る略箱型形状のカーテンボックスにおいて、前記カーテンレールの両側に仕切板で隔てられた換気用区画を形成し、前記換気用区画の内面に換気口を有することを特徴とするカーテンボックス。
【請求項２】
前記換気口を前記換気用区画の底面に有することを特徴とする請求項１記載のカーテンボックス。
【請求項３】
前記換気口を前記換気用区画の内側面に有することを特徴とする請求項１記載のカーテンボックス。
【発明の詳細な説明】
【技術分野】
【０００１】
本願発明は、所謂”２４時間換気”に対応可能な換気の実現に寄与し得るカーテンボックスに関するものである。
【背景技術】
【０００２】
所謂シックハウス防止等の観点から、今般の建築基準法の改正により、原則として全ての新築住宅に所謂”２４時間換気”が義務づけられることとなり、現在、新築住宅の各居室に給排気システムを設けることが必要となっている。
【０００３】
一方、かかる”２４時間換気”に対応するためには、以下の（１）、（２）の２つの給排気方法が考えられる。すなわち、
（１）壁、天井に貫通穴を開けて各室毎の換気を実施する。
（２）ドアにアンダーカットを設け、居室間をつなげてまとめて給排気する。
というものである。
【０００４】
他方、かかる給排気方法にもそれぞれ、以下のような問題点がある。すなわち、給排気方法（１）では、居室内の各所に貫通穴を多数、形成する必要があり、美観的にも、機能的にも不都合である一方、給排気方法（２）では、ドア下からの隙間風、光漏れ等の問題が発生し易いからである。
【０００５】
かかる問題に対処する方策の一つとして、居室内に後付けで設置する内装住宅設備等に換気口を設置する方法等が例示できる。
【０００６】
例えば、特開平６−１８５８８２号公報には、カーテンボックス内に組込み可能で、建物の内／外壁の穴開け等の負担を軽減した熱交換換気扇が、開示されている。しかし、この熱交換換気扇の二つの換気口が、相互に近接配置されており、給排気効率の観点から、また、給排気に伴って、カーテンボックス内のカーテンが揺れること等も危惧され、未だ改善の余地を残すものであるとも考えられる。
【特許文献１】特開平６−１８５８８２号公報
【発明の開示】
【発明が解決しようとする課題】
【０００７】
本願発明は、上記背景技術に鑑みて発明されたものであり、その課題は、所謂”２４時間換気”に対応できる充分な換気効率を確保し得る一方、住宅に対する穴開け等の負担を軽減でき、且つ、居室内の美観を十全に保持し得るカーテンボックスを提供することである。
【課題を解決するための手段】
【０００８】
上記課題を解決するために、請求項１に係る発明のカーテンボックスにあっては、下方に開口を有し、カーテンレールを収納し得る略箱型形状のカーテンボックスにおいて、前記カーテンレールの両側に仕切板で隔てられた換気用区画を形成し、前記換気用区画の内面に換気口を有することを特徴とするものである。
【０００９】
請求項２に係る発明のカーテンボックスにあっては、請求項１記載のカーテンボックスにおいて、前記換気口を前記換気用区画の底面に有することを特徴とするものである。
【００１０】
請求項３に係る発明のカーテンボックスにあっては、請求項１記載のカーテンボックスにおいて、前記換気口を前記換気用区画の内側面に有することを特徴とするものである。
【発明の効果】
【００１１】
本願発明のカーテンボックスでは、下方に開口を有し、カーテンレールを収納し得る略箱型形状のカーテンボックスにおいて、前記カーテンレールの両側に仕切板で隔てられた換気用区画を形成し、前記換気用区画の内面に換気口を有するので、住宅に対する穴開け等の負担を軽減でき、且つ、居室内の美観を十全に保持し得ることとなる。
【発明を実施するための最良の形態】
【００１２】
以下、本願発明の実施形態を図面に基づき説明する。なお、本願発明のカーテンボックスは、下記の実施形態にのみ限定されるものではなく、本願発明の要旨を逸脱しない範囲内において種々変更を加え得ることは勿論である。ここで、図１は、本願発明の第１の実施形態に係るカーテンボックスＡ１の構成の要部を概略的に示すもので、（ａ）は、底面図、（ｂ）は、（ａ）のＸ‐Ｘ‘線における断面図、（ｃ）は、設置の様子を模式的に示す断面図（左換気用区画４ａを縦断する面における）である。一方、図２は、本願発明の第２の実施形態に係るカーテンボックスＡ２の構成の要部を概略的に示すもので、（ａ）は、底面図、（ｂ）は、（ａ）のＹ‐Ｙ‘線における断面図、（ｃ）は、設置の様子を模式的に示す断面図（左換気用区画４ａを縦断する面における）である。
【００１３】
すなわち、図１に示すように、本願発明の第１の実施形態に係るカーテンボックスＡ１は、下方に開口１を有し、カーテンレール２を収納し得る略箱型形状のカーテンボックスである。さらに、カーテンレール２の両側に仕切板３（ここでは、左仕切板３ａ、右仕切板３ｂ）で隔てられた換気用区画４（ここでは、左換気用区画４ａ、右換気用区画４ｂ）を形成し、この換気用区画４の内面５である、換気用区画４の〔天井側〕底面５ａに換気口６（ここでは、左換気口６ａ、右換気口６ｂ）を有するものである。
【００１４】
本実施形態においては、換気口６は、カーテンボックスＡ１の背後の窓ドア７上方の外壁８を貫通するダクト９を経由して、屋外１０側に設置された換気カバー１１に接続されている。このように、本実施形態では、住宅に対する穴開け等を必要最小限に抑えつつ、所謂”２４時間換気”に対応できる換気システムの構築に寄与し得ることとなる。
【００１５】
また、本実施形態においては、換気口６を、換気用区画４の内面５である〔天井側〕底面５ａに設けているので、換気口６が居室１２内での通常の生活では直接、目視され難く、居室１２内の美観を十全に保持し得ることとなる。
【００１６】
さらに、換気口６を、カーテンレール２とは、仕切板３で隔離された換気用区画４の底面５ａ（内面５）に設けているので、カーテンボックスＡ１を使用する際、カーテンレール２に吊着するカーテンが仕切板３で換気用区画４と隔離される結果、換気用区画４内部における換気の際の気流に直接触れないため、給排気に伴ってカーテンボックス内のカーテンが揺れる等の不都合も効果的に回避し得ることとなる。
【００１７】
このように、本実施形態のカーテンボックスＡ１では、下方に開口１を有し、カーテンレール２を収納し得る略箱型形状のカーテンボックスにおいて、前記カーテンレール２の両側に仕切板３で隔てられた換気用区画４を形成し、この換気用区画４の内面５である、換気用区画４の〔天井側〕底面５ａに換気口６を有するので、住宅に対する穴開け等の負担を軽減でき、且つ、居室１２内の美観を十全に保持し得ることとなる。
【００１８】
一方、図２に示すように、本願発明の第２の実施形態に係るカーテンボックスＡ２は、上記第１の実施形態と同様に、下方に開口１を有し、カーテンレール２を収納し得る略箱型形状のカーテンボックスであって、カーテンレール２の両側に仕切板３（ここでは、左仕切板３ａ、右仕切板３ｂ）で隔てられた換気用区画４（ここでは、左換気用区画４ａ、右換気用区画４ｂ）を形成し、この換気用区画４の内面５である、換気用区画４の〔窓ドア７側の〕内側面５ｂに換気口６（ここでは、左換気口６ｃ、右換気口６ｄ）を有するものである。
【００１９】
本実施形態においても、上記本願発明の第１の実施形態と同様に、換気口６は、カーテンボックスＡ２の背後の窓ドア７上方の外壁８を貫通するダクト９を経由して、屋外１０側に設置された換気カバー１１に接続されている。このように、本実施形態では、住宅に対する穴開け等を必要最小限に抑えつつ、所謂”２４時間換気”に対応できる換気システムの構築に寄与し得ることとなる。
【００２０】
また、本実施形態においては、換気口６を、換気用区画４の内面５である〔窓ドア７側の〕内側面５ｂに設けているので、換気口６が居室１２内での通常の生活では直接、目視され難く、居室１２内の美観を十全に保持し得ることとなる。
【００２１】
さらに、換気口６を、カーテンレール２とは、仕切板３で隔離された換気用区画４の〔窓ドア７側の〕内側面５ｂ（内面５）に設けているので、上記第１の実施形態と同様に、カーテンボックスＡ２を使用する際、カーテンレール２に吊着するカーテンが換気の際の気流に直接触れないので、給排気に伴ってカーテンボックス内のカーテンが揺れる等の不都合も効果的に回避し得ることとなる。
【００２２】
このように、本実施形態のカーテンボックスＡ２では、下方に開口１を有し、カーテンレール２を収納し得る略箱型形状のカーテンボックスにおいて、前記カーテンレール２の両側に仕切板３で隔てられた換気用区画４を形成し、この換気用区画４の内面５である、換気用区画４の〔窓ドア７側の〕内側面５ｂに換気口６を有するので、住宅に対する穴開け等の負担を軽減でき、且つ、居室１２内の美観を十全に保持し得ることとなる。なお、本実施形態のカーテンボックスＡ２では、換気用区画４の〔窓ドア７側の〕内側面５ｂに換気口６を有する構成としたが、換気口６を配設する部位は、換気用区画４の内面５であれば、〔窓ドア７側の〕内側面５ｂのみに限定されず、他の内側面でもよく、また、上記第１の実施形態のように、底面〔天井側〕５ａでもよく、上記課題解決に寄与する限りにおいて何ら制約のないことはいうまでもない。
【００２３】
以上のように、本願発明のカーテンボックスでは、下方に開口１を有し、カーテンレール２を収納し得る略箱型形状のカーテンボックスにおいて、前記カーテンレール２の両側に仕切板３で隔てられた換気用区画４を形成し、この換気用区画４の内面５に換気口６を有するので、住宅に対する穴開け等の負担を軽減でき、且つ、居室１２内の美観を十全に保持し得ることとなる。
【図面の簡単な説明】
【００２４】
【図１】本願発明の第１の実施形態に係るカーテンボックスＡ１の構成の要部を概略的に示すもので、（ａ）は、底面図、（ｂ）は、（ａ）のＸ‐Ｘ‘線における断面図、（ｃ）は、設置の様子を模式的に示す断面図（左換気用区画４ａを縦断する面における）である。
【図２】本願発明の第２の実施形態に係るカーテンボックスＡ２の構成の要部を概略的に示すもので、（ａ）は、底面図、（ｂ）は、（ａ）のＹ‐Ｙ‘線における断面図、（ｃ）は、設置の様子を模式的に示す断面図（左換気用区画４ａを縦断する面における）である。
【符号の説明】
【００２５】
１    開口
２    カーテンレール
３    仕切板
３ａ  左仕切板
３ｂ  右仕切板
４    換気用区画
４ａ  左換気用区画
４ｂ  右換気用区画
５    内面（換気用区画４）
５ａ  底面〔天井側〕（内面５）
５ｂ  内側面〔窓ドア７側〕（内面５）
６    換気口
６ａ  左換気口（底面５ａ）
６ｂ  右換気口（底面５ａ）
６ｃ  左換気口（内側面５ｂ）
６ｄ  右換気口（内側面５ｂ）
７    窓ドア
８    外壁
９    ダクト
１０    屋外
１１    換気カバー
１２    居室
１３    天井裏
Ａ      カーテンボックス
Ａ１    カーテンボックス
Ａ２    カーテンボックス
【図１】
2006034367.tif 000003
【図２】
2006034367.tif 000004